(57)【要約】【課題】  引出内部において、調理具，食器，調理用ラップ，食品、調味料等の瓶詰め又は缶詰容器や、小型食器、小型調理具等を極めて効率よく収納することができると共に、引出内部を極めて有効に使用すること。【解決手段】  多数の被係止孔１ａが形成された主板１を有するベース部材Ａと、前記被係止孔１ａに着脱自在に係止する係止部５が形成された収納アタッチメントＢとからなること。前記ベース部材Ａは、引出前板１５の内面側に装着されること。前記ベース部材Ａは、前記主板１と前記引出前板１５の内面側との間に小隙間を構成する帯状側部２，２が形成されたプレート状ベース部Ａ1 と、前記主板１と引出前板１５の内面側との間に適宜の間隔の収納スペースＳを構成する収納側部３，３が形成された筐体状ベース部Ａ2 とからなること。【選択図】      図１
2006204462.tif 000002
【特許請求の範囲】
【請求項１】
多数の被係止孔が形成された主板を有するベース部材と、前記被係止孔に着脱自在に係止する係止部が形成された収納アタッチメントとからなり、前記ベース部材は、引出前板の内面側に装着されてなることを特徴とする引出用収納装置。
【請求項２】
請求項１において、前記ベース部材は、前記主板と前記引出前板の内面側との間に小隙間を構成する帯状側部が形成されたプレート状ベース部と、前記主板と引出前板の内面側との間に適宜の間隔の収納スペースを構成する収納側部が形成された筐体状ベース部とからなることを特徴とする引出用収納装置。
【請求項３】
請求項１又は２において、前記収納アタッチメントは、先端に吊下部が形成された吊下具としてなることを特徴とする引出用収納装置。
【請求項４】
請求項１又は２において、前記収納アタッチメントは、前記係止部の反対側に吊下部が形成された吊下具と、前記係止部の反対側に水平面上に沿って略Ｃ字形状で且つ幅方向の一部に出入部を設けた振止め腕状部を有する振止具とからなり、前記振止具は、前記吊下具の下方に位置して前記被係止孔に係止されてなることを特徴とする引出用収納装置。
【請求項５】
請求項１，２，３又は４において、前記収納アタッチメントは、幅方向両側に係止部が備えられ且つ、該係止部間に底受部と前面受部が備えられた板受け具としてなることを特徴とする引出用収納装置。
【請求項６】
請求項１，２，３，４又は５において、前記筐体状ベース部の収納スペースには、包丁差し具が装着されてなることを特徴とする引出用収納装置。
【請求項７】
請求項１，２，３，４，５又は６において、前記筐体状ベース部の収納スペースには、略筒形状の小物入れ具が装着されてなることを特徴とする引出用収納装置。
【発明の詳細な説明】
【技術分野】
【０００１】
本発明は、調理具，食器，調理用ラップ，食品、調味料等の瓶詰め又は缶詰容器や、小型食器、小型調理具等を極めて効率よく収納することができると共に、引出内部を極めて有効に使用することができる引出用収納装置に関する。
【背景技術】
【０００２】
従来より、調理装置、収納部等を一体的にしたシステムキッチンでは、調理具，食器，調理用ラップ，食品、調味料などを収納するための引出において、種々の工夫を凝らしたものが多く存在している。また、使用する人の都合に合わせて収納部内を好みの区分けにすることが自由に行うことができるようにしたものも存在している。特に、システムキッチンには、特許文献１に見られるように、引出の内部に複数の仕切り板を装着して、多数の小部屋を構成するものがある。
【特許文献１】特開２００２−２２３８７６
【発明の開示】
【発明が解決しようとする課題】
【０００３】
引用文献１に示されているように、引出内部に複数の小部屋を構成するものは、構造は相違するものの、それを同一目的とするものが多数存在している。これらものは、たしかに、引出の内部に複数の小部屋を構成して、食器を区分けして収納することができ、極めて便利である。しかしながら、この収納構造は、平面上において多数の小部屋を構成するものであり、引出の高さ方向における収納は考慮されていない。そのために、特に収納深さが大きな引出では、収納効率が十分に発揮されないことがある。本発明の目的は、引出の上下方向における収納効率を向上させることにある。
【課題を解決するための手段】
【０００４】
そこで、発明者は、上記課題を解決すべく、鋭意，研究を重ねた結果、請求項１の発明を、多数の被係止孔が形成された主板を有するベース部材と、前記被係止孔に着脱自在に係止する係止部が形成された収納アタッチメントとからなり、前記ベース部材は、引出前板の内面側に装着されてなる引出用収納装置としたことにより、上記課題を解決した。
【０００５】
次に、請求項２の発明は、前述の構成において、前記ベース部材は、前記主板と前記引出前板の内面側との間に小隙間を構成する帯状側部が形成されたプレート状ベース部と、前記主板と引出前板の内面側との間に適宜の間隔の収納スペースを構成する収納側部が形成された筐体状ベース部とからなる引出用収納装置としたことにより、上記課題を解決した。
【０００６】
次に、請求項３の発明は、前述の構成において、前記収納アタッチメントは、先端に吊下部が形成された吊下具としてなる引出用収納装置としたことにより、上記課題を解決した。また、請求項４の発明は、前述の構成において、前記収納アタッチメントは、前記係止部の反対側に吊下部が形成された吊下具と、前記係止部の反対側に水平面上に沿って略Ｃ字形状で且つ幅方向の一部に出入部を設けた振止め腕状部を有する振止具とからなり、前記振止具は、前記吊下具の下方に位置して前記被係止孔に係止されてなる引出用収納装置としたことにより、上記課題を解決した。
【０００７】
次に、請求項５の発明は、前述の構成において、前記収納アタッチメントは、幅方向両側に係止部が備えられ且つ、該係止部間に底受部と前面受部が備えられた板受け具としてなる引出用収納装置としたことにより、上記課題を解決した。また、請求項６の発明は、前述の構成において、前記筐体状ベース部の収納スペースには、包丁差しが装着されてなる引出用収納装置としたことにより、上記課題を解決した。さらに、請求項７の発明は、前述の構成において、前記筐体状ベース部の収納スペースには、略筒形状の小物入れが装着されてなる引出用収納装置としたことにより、上記課題を解決したものである。
【発明の効果】
【０００８】
請求項１の発明は、ベース部材は、引出前板に装着されるものであり、これによって、引出前板の高さ方向のスペースを有効に利用して調理具，食器，調理用ラップ，食品、調味料の収納ができるものである。これによって、引出内部の収納が効率的にできるものである。
【０００９】
次に、請求項２の発明は、ベース部材がプレート状ベース部と筐体状ベース部とから構成されたものであって、且つ筐体状ベース部には、収納アタッチメントを主板に係止装着することができることに加えて、その筐体状ベース部と引出前板との間に形成される収納スペースに調理具，調理用ラップ或いは調味料の瓶，缶詰等を収納することができ、より一層、引出内部のスペースを有効に使用することができる。その他の効果は、前述した請求項１の発明と略同等である。次に、請求項３の発明は、前記収納アタッチメントを先端に吊下部が形成された吊下具としたもので、特に、プレート状ベース部及び筐体状ベース部の主板に多種類の調理具を多く収納することができ、前記主板の収納効率を高めることができる。
【００１０】
次に、請求項４の発明は、前記収納アタッチメントを前記係止部の反対側に吊下部が形成された吊下具と、前記係止部の反対側に水平面上に沿って略Ｃ字形状で且つ幅方向の一部に出入部を設けた腕状部を有する振止具との２つの部材から構成されたものとし、前記振止具は、前記吊下具の下方に位置して前記主板の被係止孔に係止することで、玉しゃくし（スープレードル又は計量スプーン等）等の吊り下げて収納するタイプの調理具に好適である。これは、玉しゃくしの柄の先端を吊下具によって吊り下げ、その柄の下部を、前記略Ｃ字形状の腕状部の一部に設けた出入部から挿入するようにして、略Ｃ字形状の腕状部の内部に玉しゃくしの柄を位置させることで、吊下具に吊り下げられた玉しゃくしが引出の出し入れ動作によって脱落したり、あるいは騒音を生じることを防止できるものである。
【００１１】
次に、請求項５の発明は、前記収納アタッチメントの幅方向両側に前記係止部を備え、該係止部間に底受部と前面受部を備えたもので、主板に板受け具を介してまな板等のプレート状調理具を立てかけるようにして収納することができ、収納効率をより一層向上させることができる。次に、請求項６の発明は、前記筐体状ベース部の収納スペースに包丁差しが装着されることにより、収納性を向上させることができる。次に、請求項７の発明は、前記収納スペースに、略筒形状の小物入れが装着される構成としたことにより、調理用ラップ等の箱の収納が極めて良好にできるものである。
【発明を実施するための最良の形態】
【００１２】
以下、本発明の実施形態を図面に基づいて説明する。本発明の構成は、図１乃至図３等に示すように、ベース部材Ａと収納アタッチメントＢとから構成される。本発明は、特にシステムキッチンセットへの装着に好適なものである。そのベース部材Ａは、金属製、木製、合成樹脂製等である。特に、金属製の場合は、アルミ製等が使用されることが好ましい。そのベース部材Ａは、図２に示すように、プレート状ベース部Ａ1 と筐体状ベース部Ａ2 の２つから構成される。
【００１３】
そのプレート状ベース部Ａ1 は、図２（Ａ），図３（Ａ）に示すように、主板１には、多数の被係止孔１ａ，１ａ，…が穿孔形成されている。まず、前記主板１は、長方形，正方形等の方形状に形成されている。前記主板１の上方側から下方側に向かって碁盤目のように行列状に配置されている。各被係止孔１ａは、長方形，正方形等の方形状に形成されている。各被係止孔１ａ，１ａの形成間隔は、後述する収納アタッチメントＢに形成された係止部の間隔に対応している。
【００１４】
また、前記プレート状ベース部Ａ1 の主板１の幅方向両側には、図２（Ｂ），図３（Ａ）に示すように、帯状側部２，２，…が形成されている。具体的には、前記主板１と帯状側部２，２，…とは、一体構造で、主板１の幅方向両側端から折曲形成されたものである。その帯状側部２，２，…は、引出前板１５の内面側に固着した状態で、主板１と引出前板１５の内面側との間に僅かの隙間が形成されるようにしたものである。この隙間は、主板１の被係止孔１ａに後述する収納アタッチメントＢの係止部５が係止するときの、前記主板１の背面側への突出分が確保される程度である。
【００１５】
次に、筐体状ベース部Ａ2 は、その主板１は、前記プレート状ベース部Ａ1 の主板１と略同様であり、符号も同一とする。そして、そのプレート状ベース部Ａ1 の主板１にも多数の被係止孔１ａ，１ａ，…が形成されている。その筐体状ベース部Ａ2 における主板１は、幅方向寸法が高さ方向寸法よりも長く形成されており、前記プレート状ベース部Ａ1 と高さが相違するようにしている。その筐体状ベース部Ａ2 の主板１の幅方向両側には、図２（Ｂ），図３（Ａ）に示すように、収納側部３，３が形成されている。前記主板１と前記収納側部３，３とは、一体構造で、主板１の幅方向両側端から折曲形成されたものである。
【００１６】
前記収納側部３，３は、前記主板１と引出前板１５の内面側との間に調理具，調理ラップ等が収納できる程度の隙間（収納スペースＳと称する）を有しており、且つこの収納スペースＳによって、被係止孔１ａ，１ａ，…に収納アタッチメントＢの係止部を係止しやすい構造となっている。前記両収納側部３，３には、互いに内方に向かって略直角に折曲形成された取付折曲片３ａ，３ａが形成されている。該取付折曲片３ａ，３ａは、後述する引出前板１５にビス等の固着具を介して固着する役目をなす板状片である。
【００１７】
次に、前記収納アタッチメントＢは、種々のタイプのものが存在する。該収納アタッチメントＢは、ベース部材Ａに着脱自在に装着することができるものであり、着脱自在な装着構造は、収納アタッチメントＢに設けられた係止部５と、前記被係止孔１ａ，１ａ，…との係止により行われる。この係止部５は、主に図４に示すように、係止基部５ａと係止フック５ｂとから構成される。その係止基部５ａは、略直方体状のブロック形状であり、また係止フック５ｂは、略逆「Ｌ」字形状の鉤形状に形成されたものであり、図４（Ｄ）に示すように、前記被係止孔１ａにその係止フック５ｂを挿入しつつ僅かに下方に下げることによって、被係止孔１ａに固定状態にすることができる。この係止部５の主要な構成は、以下説明する各タイプの収納アタッチメントＢに略共通した構造である。
【００１８】
その収納アタッチメントＢの第１タイプとして、図４（Ａ），（Ｂ）に示すように、吊下具Ｂ1 が存在する。該吊下具Ｂ1 の構成は、さらに、吊下具Ｂ1 は、その前記係止基部５ａの係止フック５ｂが形成された反対側面に略軸状又は棒形状で且つ鉤形状とした吊下部６が形成されている。該吊下部６は、前記係止基部５ａの面に対して略直角に突出し、適宜の箇所より上方に向かって屈曲形成されたものである。この吊下具Ｂ1 は、前記主板１の被係止孔１ａに係止フック５ｂを介して係止固定したときに、前記吊下部６の軸先端部位が僅かに上方に向かって形成されたものであり、図１に示すように、玉しゃくし（スープレードル，計量スプーン等）１７の柄１７ａを備えた調理具のように、つり下げて収納するタイプのものに対して好適である。また、長箸等の調理器具を吊ることにも都合のよいものである。
【００１９】
次に、その収納アタッチメントＢの第２タイプとして、図４（Ｃ）に示すように、振止具Ｂ2 が存在する。この振止具Ｂ2 は、前記吊下具Ｂ1 と共に使用するものである。これは、前記係止部５において、係止基部５ａの係止フック５ｂの形成側とは反対側に水平面上に沿って略Ｃ字形状で且つ幅方向の一部に出入部７ａを設けた振止め腕状部７が形成されたものである。振止め腕状部７は、前述したように、平面的に見て略Ｃ字形状をなしているが、これは、略長方形，正方形等の角形Ｃ字形状であることが好ましい。また、前記振止め腕状部７は、角の無い略円形状のＣ字形状としてもよい。
【００２０】
前記出入部７ａは、係止基部５ａの表面側付近に形成されること好ましく、前記係止基部５ａの正面に対して適宜に間隔をおいて振止め腕状部７の一部が存在するようになっている。そして、図４（Ｅ）に示すように、前記玉しゃくし（スープレードル，計量スプーン等）１７の柄１７ａの部分が吊下状態で前後方向に揺れようとすることを防止できる構成となっている。この振止具Ｂ2 は、前記吊下具Ｂ1 の下方に位置して前記主板１の被係止孔１ａに係止される。
【００２１】
このような構成とすることで、玉しゃくし１７の柄１７ａの先端を前記吊下具Ｂ1 の吊下部６によって吊り下げられ、その柄の下部が前記略Ｃ字形状の振止め腕状部７の一部に設けた出入部７ａから挿入するようにして、略Ｃ字形状の振止め腕状部７の内部に玉しゃくし１７の柄１７ａを位置させることで、前記吊下具Ｂ1 に吊り下げた玉しゃくし１７が引出の出し入れ動作によって、その勢いで脱落したり、あるいは騒音を生じることを防止できるものである。
【００２２】
次に、前記収納アタッチメントＢの第３タイプは、図５に示すように、まな板等のプレート状調理具１８を収納する板受け具Ｂ3 である。該板受け具Ｂ3 は、幅方向両側に係止部５，５が備えられ且つ、該係止部５，５間に底受部８と前面受部９が備えられている。その底受部８及び前面受部９は、共に一本の鋼線が適宜に屈曲されて形成されたものである。そして、その鋼線の端部が係止部５に対して、揺動自在に配置されたものである。
【００２３】
前記底受部８を構成する鋼線は、図５（Ａ），（Ｂ）に示すように、前記係止部５から一旦、下方に下がるようにして、垂下状支持部１０が形成され、その下端より略水平状となるように底受部８が形成されている。そして、その底受部８の外端から上方に向かって前面受部９が形成される。この板受け具Ｂ3 を前記係止部５，５を介して、主板１の被係止孔１ａに係止装着したときに、前記垂下状支持部１０が主板１又は引出前板１５に当接して、傾きを規制し、安定した装着状態にすることができる。
【００２４】
次に、包丁差し具Ｂ4 は、図７に示すように、差し具本体部１１に挿入部１２が形成されたものである。前記差し具本体部１１の表面は差し傾斜面１１ａとして形成され、前記挿入部１２の挿入口１２ａが形成されている。そして、挿入口１２ａには包丁の刃を挿入して収納することができるようになっている。前記差し傾斜面１１ａが傾斜することによって、包丁の柄は傾斜状態に収納され、使用時に取り出し易い構造になっている。この包丁差し具Ｂ4 は、前記筐体状ベース部Ａ2 の収納スペースＳに配置され、ビス等の固着具を介して固着される。
【００２５】
次に、小物入れ具Ｂ5 は、図６（Ａ）に示すように、略筒形状に形成されたものであり、さらに具体的には、略四角柱形状の筒形状に形成されたものである。まず、筒本体１３の上方には、開口部１３ａが位置し、その方形状の１辺には固定部１４が形成されている。該固定部１４は、フック状をなし、前記筐体状ベース部Ａ2 の縁に係止する状態で収納スペースＳ内に納まるように設置することができる。また、その固定部１４が形成された反対側の側面には、図６（Ｂ）に示すように、２つの前記係止部５，５が形成されており、この係止部５を介して主板１の被係止孔１ａにも係止して装着することができるようになっている。この、小物入れ具Ｂ5 は、前記包丁差し具Ｂ4 とともに収納スペースＳに配置されることにより、調理用ラップの箱の収納に好適であり、且つ収納物の区分けを容易にできる。
【００２６】
本発明の引出用収納装置のプレート状ベース部Ａ1 及び筐体状ベース部Ａ2 は、図１に示すように、引出前板１５の内面側に装着される。具体的には、ビス等の固着具で、引出前板１５の内面側に固着することになる。このとき、前記筐体状ベース部Ａ2 の収納側部３，３に形成された取付折曲片３ａ，３ａを利用して、前記ビス等の固着具にて固着することが好ましい。また前記プレート状ベース部Ａ1 を引出前板１５に装着するには、取付補助部材１６を介してビス等の固着具にて引出前板１５に固着される。
【００２７】
前記取付補助部材１６は、図３（Ｂ）に示すように、断面略Ｌ字形状をなしたものであり、図８に示すように、その１辺がプレート状ベース部Ａ1 の帯状側部２にビス等の固着具にて固着され、取付補助部材１６の他方の片が引出前板１５に固着される。前記収納アタッチメントＢにおける各部材は、係止部５を介してベース部材Ａの主板１の被係止孔１ａに係止して装着されてゆく。また、図８では、本発明の使用例を示したものであって、前記ベース部材Ａに吊下具Ｂ1 ，振止具Ｂ2 ，包丁差し具Ｂ4 及び小物入れ具Ｂ5 を全種類に亘って装着した状態を示している。実際の使用においては、全種類の収納アタッチメントＢを全て使用する必要はなく、使用条件に応じて種々の収納アタッチメントＢから用途に合わせて選択し、装着して使用してもよい。
【００２８】
なお、上記ベース部材Ａは、プレート状ベース部Ａ1 と筐体状ベース部Ａ2 とから構成された実施形態を示したが、本発明では、これに限定されるものではなく、前記ベース部材Ａがプレート状ベース部Ａ1 のみから構成されるものでも構わない。また、ベース部材Ａが筐体状ベース部Ａ2 のみから構成されるものであっても構わない。
【図面の簡単な説明】
【００２９】
【図１】（Ａ）は本発明が引出前板に装着された状態を示す要部斜視図、（Ｂ）は（Ａ）の一部断面にした側面図である。
【図２】（Ａ）はベース部材の正面図、（Ｂ）は（Ａ）の平面図である。
【図３】（Ａ）はベース部材の斜視図、（Ｂ）は取付補助部材の斜視図である。
【図４】（Ａ）は吊下具の斜視図、（Ｂ）は別の方向から見た吊下具の斜視図、（Ｃ）は振止具の斜視図、（Ｄ）は係止部を被係止孔に係止する構造を示す一部断面とした側面図、（Ｅ）は吊下具と振止具により玉しゃくしを収納している状態の斜視図である。
【図５】（Ａ）は板受け具をベース部材に装着した状態の要部斜視図、（Ｂ）は板受け具によってまな板等のプレート状調理具を収納する状態を示す側面図、（Ｃ）は板受け具の要部拡大斜視図である。
【図６】（Ａ）は小物入れ具の斜視図、（Ｂ）は小物入れ具の係止部箇所の斜視図である。
【図７】（Ａ）は包丁差し具をベース部材に装着した状態の斜視図、（Ｂ）は包丁差し具の斜視図、（Ｃ）は包丁差し具の縦断側面図である。
【図８】本発明の使用例を示す斜視図である。
【符号の説明】
【００３０】
ベース部材…Ａ、プレート状ベース部…Ａ1 、筐体状ベース部…Ａ2 、
収納アタッチメント…Ｂ、主板…１、被係止孔…１ａ、帯状側部…２、係止部…５、
収納スペース…Ｓ、収納側部…３、吊下部…９、吊下具…Ｂ1 、出入部…１０ａ、
振止め腕状部…１０、振止具…Ｂ2 、底受部…８、前面受部…９、板受け具…Ｂ3 、
包丁差し具…Ｂ4 、小物入れ具…Ｂ5 、引出前板…１５。
【図１】
2006204462.tif 000003
【図２】
2006204462.tif 000004
【図３】
2006204462.tif 000005
【図４】
2006204462.tif 000006
【図５】
2006204462.tif 000007
【図６】
2006204462.tif 000008
【図７】
2006204462.tif 000009
【図８】
2006204462.tif 000010